(57)【要約】      （修正有）【課題】布地柔軟剤を更に使用することなく、活性物質の添加を最小限に抑えながら、布地の悪臭低減と、汚れ放出（白色度）という、洗浄・洗いたて感・ケア効果を得る、ポリエステルテレフタレートの使用の提供。【解決手段】布地の悪臭を低減するためのポリエステルテレフタレートポリマーの使用であって、前記ポリエステルテレフタレートが、ポリエステルテレフタレート骨格を含み、前記ポリエステルテレフタレート骨格が、１つ以上のアニオン性基でグラフトされる使用、及び当該ポリエステルテレフタレートを含有する洗浄液の使用。【選択図】なし【特許請求の範囲】
【請求項１】
布地の悪臭を低減するためのポリエステルテレフタレートポリマーの使用であって、前記ポリエステルテレフタレートが、ポリエステルテレフタレート骨格を含み、前記ポリエステルテレフタレート骨格が、１つ以上のアニオン性基でグラフトされる、使用。
【請求項２】
前記ポリエステルテレフタレートが、
ａ．洗濯洗浄操作中に布地の悪臭を低減させことであって、前記ポリエステルテレフタレートポリマーが洗浄液中に含まれ、前記洗浄液が前記布地と接触していること、
ｂ．洗浄操作後の前記布地の使用中に布地の悪臭を低減させることであって、前記洗浄操作において、前記ポリエステルテレフタレートポリマーが洗浄液中に含まれ、前記洗浄液が前記布地と接触しており、接触後、前記ポリエステルテレフタレートポリマーが前記布地上に堆積されること、
ｃ．洗濯洗浄操作中に布地の悪臭を低減させることであって、前記布地が洗浄液と接触する前に、前記ポリエステルテレフタレートポリマーが前記布地上に含まれること、
ｄ．又はこれらの混合、のために使用される、請求項１に記載の使用。
【請求項３】
前記ポリエステルテレフタレートが、前記洗浄液中に、好ましくは１ｐｐｍ〜２００ｐｐｍ、好ましくは５ｐｐｍ〜１５０ｐｐｍ、より好ましくは１０ｐｐｍ〜１００ｐｐｍの濃度で存在する、請求項２に記載の使用。
【請求項４】
前記洗浄液が、洗濯洗剤組成物を水で希釈するか、布地柔軟化組成物を水で希釈するか、又はこれらの混合によって調製され、前記洗濯洗剤組成物、前記布地柔軟化組成物、又はこれらの混合物が、前記ポリエステルテレフタレートポリマーを含む、請求項３に記載の使用。
【請求項５】
前記ポリエステルテレフタレートポリマーが洗濯洗剤組成物中に含まれ、前記洗濯洗剤組成物が水溶性単位用量物品内に含まれ、前記水溶性単位用量物品が水溶性フィルムを含む、請求項４に記載の使用。
【請求項６】
前記ポリエステルテレフタレートポリマーが、構造単位（Ｉ）〜（ＩＩＩ）の組み合わせ：
（Ｉ）−［（ＯＣＨＲ１−ＣＨＲ２）ａ−Ｏ−ＯＣ−Ａｒ−ＣＯ−］ｄ
（ＩＩ）−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
を含み、ここで、
ａ、ｂ及びｃは、１〜２００であり、
ｄ、ｅ及びｆは、１〜５０であり、
Ａｒは、１，４−置換フェニレンであり、
ｓＡｒは、５位がＳＯ３Ｍｅにより置換された１，３−置換フェニレンであり、
Ｍｅは、Ｌｉ、Ｋ、Ｍｇ／２、Ｃａ／２、Ａｌ／３、アンモニウム、モノ−、ジ−、トリ−、若しくはテトラアルキルアンモニウム（アルキル基が、（Ｃ１〜Ｃ２２）アルキル若しくは（Ｃ２〜Ｃ１０）ヒドロキシアルキルである）、又はこれらの混合であり、
Ｒ１、Ｒ２、Ｒ３、Ｒ４、Ｒ５及びＲ６は、独立して、Ｈ又は（Ｃ１〜Ｃ１８）ｎ−若しくはイソ−アルキル、好ましくはメチルから選択され、Ｒ７は、直鎖若しくは分枝鎖（Ｃ１〜Ｃ１８）アルキル、又は直鎖若しくは分枝鎖（Ｃ２〜Ｃ３０）アルケニル、又は５〜９個の炭素原子を有するシクロアルキル基、（Ｃ６〜Ｃ３０）アリール基若しくは（Ｃ６〜Ｃ５０）アリールアルキル基、好ましくはフェニル若しくはベンジルである、請求項１〜５のいずれか一項に記載の使用。
【請求項７】
Ｒ１〜Ｒ６は、独立して、Ｈ又はメチルであり、
Ｒ７は、メチルであり、
ａ、ｂ及びｃは、１〜２０の数であり、好ましくは、ａ及びｂは１であり、ｃは２〜１０の数であり、
ｄは、１〜２５、好ましくは１〜１０、より好ましくは１〜５の数であり、
ｅは、１〜３０、好ましくは２〜１５、より好ましくは３〜１０の数であり、
ｆは、０．０５〜１５、好ましくは０．１〜１０、より好ましくは０．２５〜３の数である、請求項６に記載の使用。
【請求項８】
前記悪臭が、身体の汚れ、食用油及びその化学分解生成物、非食用油及びその化学分解生成物、又はこれらの混合物を含み、好ましくは、加水分解性脂肪酸エステル及びその化学分解生成物、加水分解性トリグリセリドエステル及びその化学分解生成物、又はこれらの混合物を含む、請求項１〜７のいずれか一項に記載の使用。
【請求項９】
前記洗浄液が非石鹸界面活性剤を含み、好ましくは、前記非石鹸界面活性剤が、１０ｐｐｍ〜２０００ｐｐｍ、好ましくは５０ｐｐｍ〜１５００ｐｐｍ、最も好ましくは１００ｐｐｍ〜１０００ｐｐｍの濃度で存在する、請求項２〜８のいずれか一項に記載の使用。
【請求項１０】
前記非石鹸界面活性剤が、非石鹸アニオン性界面活性剤、非イオン性界面活性剤又はこれらの混合物を含み、好ましくは、非石鹸アニオン性界面活性剤と非イオン性界面活性剤との重量比が、１：２〜２０：１、好ましくは１：１〜１５：１、より好ましくは１．５：１〜１５：１、最も好ましくは３：１〜１５：１である、請求項９に記載の使用。
【請求項１１】
前記非石鹸アニオン性界面活性剤が、直鎖アルキルベンゼンスルホネート、アルキルサルフェート、アルコキシル化アルキルサルフェート又はこれらの混合物を含み、好ましくは、直鎖アルキルベンゼンスルホネートとアルコキシル化アルキルサルフェートとの重量比が、１５：１〜１：１５、好ましくは、１０：１〜１：１０、より好ましくは５：１〜１：５、更により好ましくは４：１〜１：４である、請求項９又は１０に記載の使用。
【請求項１２】
前記洗浄液が、色相染料、ポリマー、ビルダー、移染防止剤、分散剤、酵素安定剤、触媒物質、漂白剤、漂白活性化剤、ポリマー分散剤、再付着防止剤、抑泡剤、審美染料、乳白剤、香料、香料送達系、構造化剤、ヒドロトロープ、加工助剤、顔料、両性界面活性剤、環状ジアミン、双性イオン性ポリアミン、抗酸化剤、防腐剤及びこれらの混合物から選択される補助成分を含み、好ましくは、脂肪酸、中和脂肪酸塩、カルボキシメチルセルロース、両親媒性グラフトコポリマー、ヒドロキシエチルセルロース、変性ヒドロキシエチルセルロース、酵素、亜硫酸塩、又はこれらの混合物から選択される補助成分を含む、請求項２〜１１のいずれか一項に記載の使用。
【請求項１３】
前記酵素が、プロテアーゼ、アミラーゼ、リパーゼ、セルラーゼ、マンナナーゼ、ペクチン酸リアーゼ、キシログルカナーゼ、ケラチナーゼ又はこれらの混合物から選択される、請求項１２に記載の使用。
【請求項１４】
前記布地が、綿、ポリコットン、ポリエステル、又はこれらの混合物から選択され、好ましくは、前記布地がポリエステルを含む、請求項１〜１３のいずれか一項に記載の使用。
【請求項１５】
前記洗浄液が、キレート剤、抗酸化剤又はこれらの混合物を含む、請求項２〜１４に記載の使用。
【発明の詳細な説明】
【技術分野】
【０００１】
布地の悪臭を低減するためのポリエステルテレフタレートの使用、及び当該ポリエステルテレフタレートを含有する洗浄液の使用。
【背景技術】
【０００２】
消費者は、洗濯プロセス中に洗濯洗剤組成物を使用する。このような洗濯洗剤組成物は、洗濯操作中に布地に洗浄効果、洗いたて感の効果、及び／又はケア効果を提供する。
【０００３】
近年、一部の消費者にとっての特定の懸念事項として、洗濯洗剤に対する開発の必要性は、洗濯プロセス中に布地の悪臭が最小限に低減されることを確実にすることである。悪臭は、典型的には、布地、特に疎水性布地への、身体の汚れ、食用油、及び非食品油などの疎水性汚れの付着によって引き起こされ、続いて、任意に細菌によって誘発される化学分解、悪臭の揮発性物質の生成、したがって放出によって引き起こされる。
【０００４】
しかしながら、洗浄プロセス中の布地の悪臭の低減を達成することは、従来、洗剤組成物への特定の悪臭低減技術の追加を必要としてきた。環境評価及び炭素フットプリントを低減するという要望により、出荷及び包装に必要とされる資源を低減するために、洗剤配合物を小型化する傾向がある。この小型化の必要性は、水溶性単位用量物品において特に当てはまる。したがって、従来の配合者は、多くの場合、製剤内の活性物質に対する空間的制約による、一方の活性物質の他方の活性物質に対する必要な優先順位付けの理由に起因して、ある利益と別の利益のトレードオフに直面する。加えて、このような悪臭低減技術は、主な洗浄操作後に、洗浄操作のすすぎ工程で添加される布地柔軟化組成物に添加される。このことは、ユーザが、悪臭低減効果を達成するために、主洗浄のための洗剤組成物と、その後のすすぎ工程での柔軟化組成物の両方を使用する必要があるという欠点を有する。
【０００５】
したがって、当技術分野において、別の利点を優先したときに、ある利点のトレードオフの関係が低減するか又は存在しない、洗濯洗剤組成物、特に水溶性単位用量物品などの小型化組成物において複数の利益を提供する活性物質を配合することが望ましい。
【０００６】
アニオン性ポリエステルテレフタレートは、布地上の汚れ放出（白色度増強）ポリマーとして知られている。しかしながら、驚くべきことに、１回の試験及び複数サイクルの試験の両方で、アニオン性ポリエステルテレフタレートを使用して、布地の悪臭を低減することもできることがわかった。理論に束縛されるものではないが、ポリエステルテレフタレートポリマーのエトキシレート基は、布地表面に（特にポリエステルなどの疎水性布地に）親水性層を形成すると考えられ、洗浄サイクル中又はその後の布地の使用中に布地の疎水性汚れの（再）付着を低減させると考えられる。また、驚くべきことに、アニオン性ポリエステルテレフタレートは、同じ洗浄操作又はその後の洗浄操作中に再度洗い流される他のポリエステルテレフタレートよりも感度が低いことが見出された。理論に束縛されるものではないが、アニオン性ポリエステルテレフタレートは、主にアニオン性に帯電した洗剤界面活性剤系に対して反発効果を有し、その結果、ポリエステルテレフタレートが布地から洗い落とされる状況が低減する。
【発明の概要】
【発明が解決しようとする課題】
【０００７】
したがって、本発明による使用は、活性物質の添加を最小限に抑えながら、布地の悪臭の低減と、汚れ放出（白色度）という二重の利益を提供する。更に、布地柔軟剤を更に使用することなく、悪臭効果を達成した。
【課題を解決するための手段】
【０００８】
本発明の第１の態様は、布地の悪臭を低減するためのポリエステルテレフタレートポリマーの使用であって、ポリエステルテレフタレートが、ポリエステルテレフタレート骨格を含み、ポリエステルテレフタレート骨格が、１つ以上のアニオン性基でグラフトされる、使用である。
【図面の簡単な説明】
【０００９】
【図１】本発明による水溶性単位用量物品である。
【発明を実施するための形態】
【００１０】
ポリエステルテレフタレートポリマーの使用
本発明の一態様は、布地の悪臭を低減するためのポリエステルテレフタレートポリマーの使用であって、ポリエステルテレフタレートが、ポリエステルテレフタレート骨格を含み、ポリエステルテレフタレート骨格が、１つ以上のアニオン性基でグラフトされる、使用である。ポリエステルテレフタレートは、以下でより詳細に説明される。
【００１１】
「悪臭」は、ユーザが、不快又は好ましくないと感じる何らかの匂いである。好ましくは、悪臭は、身体の汚れ、食用油及びその化学分解生成物、非食用油及びその化学分解生成物、又はこれらの混合物を含み、好ましくは加水分解性脂肪酸エステル及びその化学分解生成物、加水分解性トリグリセリドエステル及びその化学分解生成物、又はこれらの混合物を含む。「その分解生成物」とは、本明細書では、好ましくはアルデヒド、ケトン、エポキシド、ヒドロキシ化合物又はこれらの混合物を意味する。理論に束縛されるものではないが、油、特に植物油は、３個の脂肪酸分子によってエステル化されたグリセロール分子から構成される。植物油の各タイプは、それ自体の特定の脂肪酸比含量によって特徴付けられる。主に、脂肪酸は、直鎖脂肪族鎖中に１６個又は１８個の炭素原子を有し、これらの鎖は、提示される高レベルの二重結合に起因して分解変化を受け得る。これらは酸化条件に非常に敏感であり、アルデヒド、ケトン、エポキシド、ヒドロキシ化合物、又はこれらの混合物を含む多くの分解生成物を生成する。また、酸化的ストレスは、共役二重結合系形成及びトランス脂肪酸の原因となり得る。
【００１２】
悪臭は、身体の汚れ、食用油、非食品油、又はこれらの混合物、好ましくは加水分解性脂肪酸エステル、加水分解性トリグリセリドエステル、又はこれらの混合物を含んでもよい。
【００１３】
当業者であれば、好適な布地を認識しているであろう。好ましくは、布地は、綿、ポリコットン、ポリエステル、又はこれらの混合物を含み、好ましくは、布地は、ポリエステルを含む。
【００１４】
ポリエステルテレフタレートは、
ａ．洗濯洗浄操作中に布地の悪臭を低減させることであって、ポリエステルテレフタレートポリマーが洗浄液中に含まれ、洗浄液が布地と接触していること、
ｂ．洗浄操作後の当該布地の使用中に布地の悪臭を低減させることであって、洗浄操作において、ポリエステルテレフタレートポリマーが洗浄液中に含まれ、洗浄液が布地と接触しており、接触後、ポリエステルテレフタレートポリマーが布地上に堆積されること、
ｃ．洗濯洗浄操作中に布地の悪臭を低減させることであって、布地が洗浄液と接触する前に、ポリエステルテレフタレートポリマーが布地上に含まれること、
ｄ．又はこれらの混合、のために使用されてよい。
【００１５】
当業者であれば、標準の洗濯洗浄操作を認識しているであろう。洗浄操作は、手動洗浄操作、自動洗浄操作、半自動洗浄操作、又はこれらの混合であってもよい。理論に束縛されるものではないが、洗濯洗浄操作は、洗浄される布地と接触する洗浄液を作製することを含む。最初に洗浄液を調製し、次いで、布地を加えてもよく、又は洗浄液は、布地が最初に配置されている自動洗濯機の適切な容器又はドラム内で生成されてもよい（すなわち、洗浄液は、布地の周囲で生成される）。
【００１６】
好ましくは、洗浄液は、１Ｌ〜６４Ｌ、好ましくは２Ｌ〜３２Ｌ、より好ましくは３Ｌ〜２０Ｌの水を含み得る。
【００１７】
好ましくは、洗浄液は、５℃〜９０℃、好ましくは１０℃〜６０℃、より好ましくは１２℃〜４５℃、最も好ましくは１５℃〜４０℃の温度である。
【００１８】
好ましくは、洗浄液中での布地の洗浄は、完了までに５分〜５０分、好ましくは５分〜４０分、より好ましくは５分〜３０分、更により好ましくは５分〜２０分、最も好ましくは６分〜１８分かかる。
【００１９】
好ましくは、洗浄液は、１ｋｇ〜２０ｋｇ、好ましくは３ｋｇ〜１５ｋｇ、最も好ましくは５〜１０ｋｇの布地を含む。
【００２０】
洗浄液は、好ましくは０ｇｐｇ〜４０ｇｐｇで変化する任意の硬度の水を含んでもよい。
【００２１】
理論に束縛されるものではないが、ポリエステルテレフタレートポリマーは、洗浄操作中に布地の悪臭を低減するために、又は洗浄操作後に使用されるとき（例えば、着用されるとき）に布地の悪臭を低減するために、又はその両方で使用されてもよい。洗浄操作において、ポリエステルテレフタレートポリマーは、布地のものとは別個に洗浄液に添加されてもよく、又はそれらが洗浄液と接触する前に布地上に存在してもよく、又はその両方であってもよい。
【００２２】
好ましくは、ポリエステルテレフタレートは、洗浄液中に、好ましくは１ｐｐｍ〜２００ｐｐｍ、好ましくは５ｐｐｍ〜１５０ｐｐｍ、最も好ましくは１０ｐｐｍ〜１００ｐｐｍの濃度で存在する。
【００２３】
当業者であれば、洗浄液を調製するための様式を認識しているであろう。好ましくは、洗浄液は、洗濯洗剤組成物を水で希釈するか、布地柔軟化組成物を水で希釈するか、又はこれらの混合によって調製され、洗濯洗剤組成物、布地柔軟化組成物、又はこれらの混合物は、ポリエステルテレフタレートポリマーを含む。好ましくは、ポリエステルテレフタレートポリマーは洗浄液中に含まれ、洗浄液が布地と接触している。当業者であれば、洗濯洗剤及び布地柔軟化組成物の製造方法を認識するであろう。好ましい洗濯洗剤及び布地柔軟化組成物は、以下でより詳細に説明される。
【００２４】
好ましくは、洗浄液が非石鹸界面活性剤を含み、好ましくは、非石鹸界面活性剤が、１０ｐｐｍ〜２０００ｐｐｍ、好ましくは５０ｐｐｍ〜１５００ｐｐｍ、最も好ましくは１００ｐｐｍ〜１０００ｐｐｍの濃度で存在する。洗濯洗剤組成物、布地柔軟化組成物又はこれらの混合物を水で希釈することによって洗浄液を調製する場合、非石鹸界面活性剤は、洗濯洗剤組成物、布地柔軟化組成物又はこれらの混合物中に存在してもよい。
【００２５】
好ましくは、非石鹸界面活性剤は、非石鹸アニオン性界面活性剤、非イオン性界面活性剤又はこれらの混合物を含み、好ましくは、非石鹸アニオン性界面活性剤と非イオン性界面活性剤との重量比は、１：２〜２０：１、好ましくは１：１〜１５：１、より好ましくは１．５：１〜１５：１、最も好ましくは３：１〜１５：１である。
【００２６】
好ましくは、非石鹸アニオン性界面活性剤は、直鎖アルキルベンゼンスルホネート、アルキルサルフェート、アルコキシル化アルキルサルフェート又はこれらの混合物を含み、好ましくは、直鎖アルキルベンゼンスルホネートとアルコキシル化アルキルサルフェートとの重量比は、１５：１〜１：１５、好ましくは、１０：１〜１：１０、より好ましくは５：１〜１：５、更により好ましくは４：１〜１：４である。
【００２７】
非イオン性界面活性剤は、脂肪族アルコールアルコキシレート、オキソ合成脂肪族アルコールアルコキシレート、ゲルベアルコールアルコキシレート、アルキルフェノールアルコールアルコキシレート又はこれらの混合物から選択されてもよい。非イオン性界面活性剤は、洗濯洗剤組成物、布地柔軟化組成物又はこれらの混合物を介して洗浄液に添加されてもよい。
【００２８】
好ましくは、洗浄液は、１ｐｐｍ〜１０００ｐｐｍ、好ましくは５ｐｐｍ〜５００ｐｐｍ、最も好ましくは１０ｐｐｍ〜２５０ｐｐｍの石鹸、好ましくは脂肪酸塩を含み、より好ましくは、アミン中和脂肪酸塩を含み、好ましくは、アミンは、アルカノールアミンであり、より好ましくは、モノエタノールアミン、ジエタノールアミン、トリエタノールアミン又はこれらの混合物、より好ましくはモノエタノールアミンから選択される。
【００２９】
好ましくは、洗浄液は、色相染料、ポリマー、ビルダー、移染防止剤、分散剤、酵素安定剤、触媒物質、漂白剤、漂白活性化剤、ポリマー分散剤、再付着防止剤、抑泡剤、審美染料、乳白剤、香料、香料送達系、構造化剤、ヒドロトロープ、加工助剤、顔料、両性界面活性剤、環状ジアミン、双性イオン性ポリアミン、抗酸化剤、防腐剤、及びこれらの混合物から選択される補助成分を含み、好ましくは、脂肪酸、中和脂肪酸塩、カルボキシメチルセルロース、両親媒性グラフトコポリマー、ヒドロキシエチルセルロース、変性ヒドロキシエチルセルロース、酵素、亜硫酸塩、又はこれらの混合物から選択される補助成分を含む。補助成分は、洗濯洗剤組成物、布地柔軟化組成物又はこれらの混合物を介して洗浄液に添加されてもよい。
【００３０】
好ましくは、酵素は、プロテアーゼ、アミラーゼ、リパーゼ、セルラーゼ、マンナナーゼ、ペクチン酸リアーゼ、キシログルカナーゼ、ケラチナーゼ又はこれらの混合物から選択される。
【００３１】
洗浄液は、アルコキシル化ポリエチレンイミン、好ましくはエトキシル化ポリエチレンイミン、カチオン変性多糖類、好ましくはカチオン変性ヒドロキシエチルセルロース、カルボキシメチルセルロース、好ましくは、疎水変性カルボキシメチルセルロース、及び両親媒性グラフト汚れ放出ポリマー、好ましくは、ポリエチレングリコール骨格と疎水性酢酸ビニル側鎖とを含むポリエチレングリコールグラフトポリマー、又はこれらの混合物を含む群から選択される更なるポリマーを含んでいてもよい。
【００３２】
好ましくは、洗浄液は、キレート剤、抗酸化剤又はこれらの混合物を含む。
【００３３】
洗濯洗剤組成物
ポリエステルテレフタレートポリマーは、洗濯洗剤組成物に含まれてもよい。洗濯洗剤組成物は、粉末、液体又はこれらの混合物であってよい。
【００３４】
固体洗濯洗剤組成物は、固体粒子を含んでもよく、又は単一の均質な固体であってもよい。好ましくは、固体洗濯洗剤組成物は、粒子を含む。このことは、固体が単一の均質固体であるものとは対照的に、固体洗濯洗剤組成物が個々の固体粒子を含むことを意味する。粒子は、自由流動性であってもよく、又は圧縮されてもよく、好ましくは自由流動である。
【００３５】
「液体洗濯洗剤組成物」という用語は、布地を濡らし、処理することが可能な液体を含む、任意の洗濯洗剤組成物を指し、限定するものではないが、液体、ゲル、ペースト、分散液などが挙げられる。液体組成物は、好適に細分された形態の固体又は気体を含んでいてもよいが、液体組成物は、粉末、錠剤又は顆粒など、全体として非流動性である形態を除外する。
【００３６】
好ましくは、液体洗濯洗剤組成物は、ｐＨが６〜１０、より好ましくは、６．５〜８．９、最も好ましくは７〜８である。液体洗濯洗剤組成物のｐＨは、２０℃における脱塩水中の１０％希釈液として測定してもよい。
【００３７】
液体洗剤組成物は、好ましくは、４０ｍｍのプレート形状及び５００マイクロメートルのギャップサイズを使用し、ＴＡ  ｉｎｓｔｒｕｍｅｎｔｓ  ＡＲ−Ｇ２又はＡＲ２０００で、２０℃、剪断速度２０／ｓで測定される、１００〜１０００ｃＰａ・ｓの粘度を有する。
【００３８】
洗濯洗剤組成物は、水溶性単位用量物品中に存在してもよく、水溶性単位用量物品は、水溶性フィルムを含む。
【００３９】
水溶性単位用量物品は、水溶性フィルムと洗濯洗剤組成物とを含む。洗濯洗剤組成物及び水溶性フィルムは、下記でより詳細に説明される。
【００４０】
水溶性単位用量物品は、単位用量物品が水溶性フィルムによって取り囲まれた少なくとも１つの内部区画を含むような形状の水溶性フィルムを含み、洗濯洗剤組成物が当該区画内に存在する。単位用量物品は、内部区画を画定するように互いに封止された、第１の水溶性フィルムと、第２の水溶性フィルムとを含んでよい。水溶性単位用量物品は、保管中に洗濯洗剤組成物が区画から漏れ出さないように構成される。しかしながら、水溶性単位用量物品を水に添加すると、水溶性フィルムが溶解して、内部区画の内容物が洗浄液中に放出される。
【００４１】
区画は、洗剤組成物を保持する、単位用量物品内の密閉された内部空間を意味する、と理解すべきである。製造中、第１の水溶性フィルムは、洗剤組成物が添加される開口区画を含むような形状でよい。次に、区画の開口部を閉じる向きで、第１のフィルムを第２の水溶性フィルムで覆う。次いで、第１及び第２のフィルムは、封止領域に沿って共に封止される。
【００４２】
単位用量物品は、２つ以上の区画、更には少なくとも２つの区画、又は更には少なくとも３つの区画を含んでよい。区画は、重ね合わせる配向で、即ち、一方が他方の上に位置するように配置されてよい。このような配向では、単位用量物品は、上部、中央及び下部の３つのフィルムを含む。代替的に、区画は、平行した配向で、即ち、一方が他方に隣接する配向で位置してよい。区画は、更には「タイヤ及びリム」配置での配向であってよく、即ち、第１の区画は、第２の区画に隣接して位置するが、第１の区画は、第２の区画を少なくとも部分的に取り囲み、第２の区画を完全には囲まない。代替的に、１つの区画が別の区画内に完全に囲まれてもよい。
【００４３】
単位用量物品が少なくとも２つの区画を含む場合、区画の一方が他方の区画より小さくてもよい。単位用量物品が少なくとも３つの区画を含む場合、区画のうちの２つが第３の区画より小さくてもよく、好ましくは、小さい方の区画が大きい方の区画上に重ね合わせられていてもよい。重ね合わせられた区画は、好ましくは、隣り合って配向される。
【００４４】
複数区画の配置において、本発明による洗濯洗剤組成物が、区画の少なくとも１つ内に含まれてもよい。例えば、洗濯洗剤組成物は１つの区画のみに含まれてもよく、あるいは２つの区画、又は更には３つの区画に含まれてもよい。
【００４５】
各区画は、同一の組成物又は異なる組成物を含んでもよい。異なる組成物は全て同一形態であってもよい、又は異なる形態であってもよい。
【００４６】
水溶性単位用量物品は少なくとも２つの内部区画を含んでよく、液体洗濯洗剤組成物が本区画の少なくとも１つ内に含まれ、好ましくは、単位用量物品が少なくとも３つの区画を含み、洗剤組成物が本区画の少なくとも１つ内に含まれる。
【００４７】
図１は、本発明による水溶性単位用量物品（１）を開示する。水溶性単位用量物品（１）は、第１の水溶性フィルム（２）と第２の水溶性フィルム（３）を含み、これらは密封領域（４）で共に封止されている。洗濯洗剤組成物（５）は、水溶性可溶性単位用量物品（１）内に含まれる。
【００４８】
本発明のフィルムは、水溶性又は水分散性である。好ましくは、水溶性フィルムの厚さは、２０μｍ〜１５０μｍ、好ましくは３５μｍ〜１２５μｍ、更により好ましくは５０μｍ〜１１０μｍ、最も好ましくは約７６μｍである。
【００４９】
好ましくは、最大孔径が２０μｍのガラスフィルタの使用後に、本明細書に記載の方法によって測定したフィルムの水溶性は、少なくとも５０％、好ましくは少なくとも７５％、又は更には少なくとも９５％である。
【００５０】
予め秤量した３Ｌのビーカーに、５グラム±０．１グラムのフィルム材料を添加し、２Ｌ±５ｍＬの蒸留水を添加する。これを、電磁攪拌器（Ｌａｂｌｉｎｅモデル番号１２５０又は等価物）及び５ｃｍの電磁攪拌子により、３０℃にて３０分間、６００ｒｐｍで激しく攪拌する。次いで、混合物を、上記で定義した孔径（最大２０μｍ）の折りたたんだ定性分析用焼結ガラスフィルタにより濾過する。任意の従来の方法によって、回収した濾液から水を乾燥させ、残った材料の重量を求める（これが溶解画分又は分散画分である）。次いで、溶解度又は分散性の百分率を計算することができる。
【００５１】
好ましいフィルム材料は、好ましくはポリマー材料である。フィルム材料を、当技術分野において公知なように、例えば、ポリマー材料の溶液流延、吹込成形、押出成形又は吹込押出成形によって得ることができる。
【００５２】
パウチ材料として使用するのに好適な好ましいポリマー、コポリマー又はそれらの誘導体は、ポリビニルアルコール、ポリビニルピロリドン、ポリアルキレンオキサイド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。
【００５３】
ポリマー及び／又はコポリマーの混合物はまた、パウチ材料として、特に、ポリビニルアルコールポリマー及び／又はコポリマーの混合物、特に、ポリビニルアルコールホモポリマー及び／又はアニオン性ポリビニルアルコールコポリマーの混合物、好ましくは、スルホン酸化及びカルボキシル化されたアニオン性ポリビニルアルコールコポリマー、特に、カルボキシル化されたアニオン性ポリビニルアルコールコポリマーから選択されるアニオン性ポリビニルアルコールコポリマーの混合物として使用することもできる。最も好ましくは、水溶性フィルムは、ポリビニルアルコールホモポリマーとカルボキシル化アニオン性ポリビニルアルコールコポリマーとのブレンドを含む。
【００５４】
好ましいフィルムは、冷水、すなわち、加熱されていない蒸留水中で良好な溶解を呈するものである。好ましくは、このようなフィルムは、２４℃、更により好ましくは１０℃の温度で、良好な溶解を呈する。良好な溶解とは、上述の最大孔径が２０μｍのガラスフィルタの使用後に、本明細書に記載の方法により測定したフィルムの呈する水溶性が、少なくとも５０％、好ましくは少なくとも７５％、又は更には少なくとも９５％であることを意味する。
【００５５】
好ましいフィルムには、Ｍｏｎｏｓｏｌによって商品参照番号Ｍ８６３０、Ｍ８９００、Ｍ８７７９、Ｍ８３１０として供給されているものがある。
【００５６】
フィルムは、不透明、透明又は半透明であってもよい。フィルムは、印刷された領域を含んでもよい。
【００５７】
印刷領域は、フレキソ印刷又はインクジェット印刷などの標準的な技術を使用して得ることができる。
【００５８】
フィルムは、嫌悪剤、例えば苦味剤を含んでもよい。好適な苦味剤としては、ナリンギン、サッカロースオクタアセテート、塩酸キニーネ、デナトニウムベンゾエート、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｒｐｍが挙げられるが、これらに限定されない。
【００５９】
あるいは、ポリエステルテレフタレートは布地柔軟化組成物中に存在してもよく、これは水中で３００〜３０００倍の倍率で希釈されて、洗浄液を生成する。
【００６０】
布地柔軟化組成物
柔軟化組成物は、任意の好適な形態であってよい。柔軟化組成物は、粉末、液体又はこれらの混合物であってよい。
【００６１】
柔軟化組成物は、固体粒子を含んでもよく、又は単一の均質な固体であってもよい。好ましくは、固体柔軟化組成物は、粒子を含む。このことは、固体が単一の均質固体であるものとは対照的に、固体柔軟化組成物が個々の固体粒子を含むことを意味する。粒子は、自由流動性であってもよく、又は圧縮されてもよく、好ましくは自由流動である。
【００６２】
「液体洗濯柔軟化組成物」という用語は、布地を濡らし、処理することが可能な液体を含む、任意の洗濯柔軟化組成物を指し、限定するものではないが、液体、ゲル、ペースト、分散液などが挙げられる。液体組成物は、好適に細分された形態の固体又は気体を含んでいてもよいが、液体組成物は、粉末、錠剤又は顆粒など、全体として非流動性である形態を除外する。
【００６３】
布地柔軟化組成物は、第四級アンモニウム化合物、アミン、脂肪酸エステル、ショ糖エステル、シリコーン、分散性ポリオレフィン、多糖類、脂肪酸、柔軟化油、ポリマーラテックス、柔軟化粘土及びこれらの組み合わせからなる群から選択される柔軟化活性物質を含んでいてもよく、好ましくは、布地柔軟化活性物質は、第四級アンモニウム化合物及びこれらの混合物、より好ましくは、エステルクワットからなる群から選択され、最も好ましくは、布地柔軟化活性物質は、ジエステルクワット、より好ましくは、ジエチルエステルジメチルアンモニウムクロリド（ＤＥＥＤＭＡＣ）からなる群から選択される。
【００６４】
布地柔軟化組成物中に配合される場合、好ましくは、柔軟化組成物は、柔軟化組成物の２重量％〜２５重量％、好ましくは４重量％〜２０重量％、より好ましくは５重量％〜１５重量％、最も好ましくは５重量％〜１３％重量％の柔軟化活性物質を含む。
【００６５】
洗濯柔軟化組成物は、好ましくは、処理される布地に香りを提供することを目的とする香料又は香料カプセル技術を更に含む。洗濯柔軟化組成物は、当業者に典型的に認識される更なる成分を含んでもよい。
【００６６】
ポリエステルテレフタレートポリマー
ポリエステルテレフタレートは、１つ以上のアニオン性基、より好ましくはプロピレンテレフタレートのアニオン性ポリエステルでグラフトしたポリエステルテレフタレート骨格である。
【００６７】
好適なアニオン性ポリエステルは、テレフタル酸、５−スルホイソフタル酸又は５−スルホイソフタル酸の塩から、エチレングリコール又はポリエチレングリコール、プロピレングリコール又はポリプロピレングリコール、及びポリアルキレングリコールモノアルキルエーテルから、任意に重縮合可能な３〜６個の官能基、特に酸、アルコール又はエステル官能基を有する更なるモノマーから誘導されるものである。
【００６８】
好ましくは、ポリエステルテレフタレートは、構造単位（Ｉ）〜（ＩＩＩ）の組み合わせ：
（Ｉ）  −［（ＯＣＨＲ１−ＣＨＲ２）ａ−Ｏ−ＯＣ−Ａｒ−ＣＯ−］ｄ
（ＩＩ）  −［（ＯＣＨＲ３−ＣＨＲ４）ｂ−Ｏ−ＯＣ−ｓＡｒ−ＣＯ−］ｅ
（ＩＩＩ）  −［（ＯＣＨＲ５−ＣＨＲ６）ｃ−ＯＲ７］ｆ
を含み、ここで、
ａ、ｂ及びｃは、１〜２００であり、
ｄ、ｅ及びｆは、１〜５０であり、
Ａｒは、１，４−置換フェニレンであり、
ｓＡｒは、５位がＳＯ３Ｍｅにより置換された１，３−置換フェニレンであり、
Ｍｅは、Ｌｉ、Ｋ、Ｍｇ／２、Ｃａ／２、Ａｌ／３、アンモニウム、モノ−、ジ−、トリ−、若しくはテトラアルキルアンモニウム（アルキル基が、（Ｃ１〜Ｃ２２）アルキル若しくは（Ｃ２〜Ｃ１０）ヒドロキシアルキルである）、又はこれらの混合であり、
Ｒ１、Ｒ２、Ｒ３、Ｒ４、Ｒ５及びＲ６は、独立して、Ｈ又は（Ｃ１〜Ｃ１８）ｎ−若しくはイソ−アルキル、好ましくはメチルから選択され、Ｒ７は、直鎖若しくは分枝鎖（Ｃ１〜Ｃ１８）アルキル、又は直鎖若しくは分枝鎖（Ｃ２〜Ｃ３０）アルケニル、又は５〜９個の炭素原子を有するシクロアルキル基、（Ｃ６〜Ｃ３０）アリール基若しくは（Ｃ６〜Ｃ５０）アリールアルキル基、好ましくはフェニル若しくはベンジルである。
【００６９】
好ましくは、ポリエステルテレフタレートは、構造単位（Ｉ）〜（ＩＩＩ）を含み、
Ｒ１〜Ｒ６は、独立して、Ｈ又はメチルであり、
Ｒ７は、メチルであり、
ａ、ｂ及びｃは、１〜２０の数であり、好ましくはａ及びｂは１であり、ｃは２〜１０の数であり、
ｄは、１〜２５、好ましくは１〜１０、より好ましくは１〜５の数であり、
ｅは、１〜３０、好ましくは２〜１５、より好ましくは３〜１０の数であり、
ｆは、０．０５〜１５、好ましくは０．１〜１０、より好ましくは０．２５〜３の数である。
【００７０】
本発明によるポリエステルテレフタレートは、一般に７００〜５００００ｇ／ｍｏｌ、好ましくは８００〜２５０００ｇ／ｍｏｌ、より好ましくは１０００〜１５０００ｇ／ｍｏｌ、最も好ましくは１２００〜１２０００ｇ／ｍｏｌの範囲の数平均分子量を有する。
【００７１】
好適なアニオン性ポリエステルテレフタレート汚れ放出ポリマーは、Ｃｌａｒｉａｎｔにより、ＴｅｘＣａｒｅ（登録商標）シリーズのポリマー、例えば、ＴｅｘＣａｒｅ（登録商標）ＳＲＡ３００として販売されている。
【００７２】
洗濯洗剤は、好ましくは、洗剤組成物の０．１重量％〜１０重量％、好ましくは０．５重量％〜５重量％のアニオン性ポリエステルテレフタレート汚れ放出ポリマーを含む。アニオン性ポリエステルテレフタレートは、洗浄液中に、好ましくは１ｐｐｍ〜２００ｐｐｍ、好ましくは５ｐｐｍ〜１５０ｐｐｍ、より好ましくは１０ｐｐｍ〜１００ｐｐｍの濃度で存在する。
【００７３】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【実施例】
【００７４】
（実施例）
フルスケール洗浄試験終了時に残る悪臭の量に対し、本発明に係るアニオン変性ポリエステルテレフタレート汚れ放出ポリマー（Ｔｅｘｃａｒｅ  ＳＲＡ３００）の非水性可溶性単位用量洗濯洗剤への単一変数添加の影響を、本明細書に記載のプロトコルに従って評価した。
【００７５】
試験製品：
以下の組成物を、個々の構成成分を混合し、続いて、Ｍｏｎｏｓｏｌ社により供給される水溶性ＰＶＡフィルム中に封入して、水溶性単位用量洗濯パウチを得ることによって調製した。各単位用量洗濯用パウチは、２９．９３２ｇの洗剤組成物を含んでいた。Ｔｅｘｃａｒｅ  ＳＲＡ３００を２０％活性成分水溶液として、洗浄に別々に添加した。
【００７６】
【表１】
2020002350.tif 000002
【００７７】
【表２】
2020002350.tif 000003
＊ＥＯ鎖当たり２０の平均エトキシル化度、及び約６００のＭＷを有するポリエチレンイミン骨格を有するエトキシル化ポリエチレンイミン
＊＊ポリエチレングリコール骨格（Ｐｌｕｒｉｏｌ  Ｅ６０００）と、
疎水性酢酸ビニル側鎖とを含み、ポリマー系の４０重量％の
ポリエチレングリコール骨格ポリマーと、ポリマー系の６０重量％のグラフト化
酢酸ビニル側鎖とを含む、ポリエチレングリコールグラフトポリマー
【００７８】
悪臭カクテル：
以下の悪臭カクテル組成物は、個々の構成成分（Ｓｉｇｍａ  Ａｌｄｒｉｃｈにより供給、純度等級は９５％を超える、Ａｃｃｕｒａｔｅ  Ｐｒｏｄｕｃｔ  Ｄｅｖｅｌｏｐｍｅｎｔ製のＡｒｔｉｆｉｃｉａｌ  Ｂｏｄｙ  Ｓｏｉｌ）を混合することによって調製された。悪臭カクテルは、０℃未満の温度で保管される。試験見本に適用する前に、悪臭カクテルを室温で再平衡化する。
【００７９】
悪臭プレミックス：
【００８０】
【表３】
2020002350.tif 000004
【００８１】
【表４】
2020002350.tif 000005
【００８２】
試験プロトコル：
洗浄試験：
シンシナティ、オハイオにある国際的な材料供給会社であるＡｃｃｕｒａｔｅ  Ｐｒｏｄｕｃｔ  Ｄｅｖｅｌｏｐｍｅｎｔによって供給されるような、２×５インチの非標準サイズのポリコットン（５０／５０）試験見本を、汚れを付ける前に、試験製品を用いてあらかじめ調整しておく。したがって、１回の単位用量の試験製品を、まず、Ｄｕｅｔ  ９２００フロントローディング式洗濯機のドラムの後方に置き、その後、バラスト投入量の半分（１．９５ｋｇ）、試験見本（１６枚）、及びバラスト投入量の残りの半分（１．９５ｋｇ）を加える。通常のサイクルは、洗浄温度７７°Ｆ、すすぎ温度６０°Ｆ、及び水硬度７ｇｐｇで実行される。この前処理工程を４回繰り返し、続いて、試験見本を、Ｍａｙｔａｇ  Ｄｏｕｂｌｅ  Ｓｔａｃｋ乾燥機内で２０分間、４枚のきれいな乾燥したハンドタオルと共に乾燥させる。
【００８３】
９６チャネルヘッド（８×１２）及び３００μＬのピペットチップが取り付けられたＩｎｔｅｇｒａ  Ｖｉａｆｌｏ  Ａｕｔｏｍａｔｉｃ  Ｐｉｐｅｔｔｅを使用して、あらかじめ調整された試験見本に悪臭カクテルを適用することによって、悪臭センサーを新たに調製する。１２個のチップの３つの列に製品を充填し、各チップは、あらかじめ調整された試験見本上に１５μＬの悪臭カクテルを提供する）。悪臭カクテルの添加が終了した直後に、１６個の汚れた見本（すなわち悪臭センサー）を一緒に置き、アルミホイル箔で包む。これらの悪臭センサーは、洗浄試験において同日に使用するために、ドラフト下、室温で保管される。
【００８４】
洗浄試験のために、１回の単位用量の試験製品を、まず、Ｄｕｅｔ  ９２００フロントローディング式洗濯機のドラムの後方に置き、その後、バラスト投入量の半分（１．９５ｋｇ）、悪臭汚れ試験見本（１６枚）、及びバラスト投入量の残りの半分（１．９５ｋｇ）を加える。通常のサイクルは、洗浄温度７７°Ｆ、すすぎ温度６０°Ｆ、及び水硬度７ｇｐｇで実行され、続いて、悪臭汚れ試験見本を、Ｍａｙｔａｇ  Ｄｏｕｂｌｅ  Ｓｔａｃｋ乾燥機内で２０分間、４枚のきれいな乾燥したハンドタオルと共に乾燥させる。結果として、１０個の悪臭センサー見本を、熱シールされたマイラーバッグ内に、官能評価のために一晩保管し、６個の悪臭センサー見本を同じく一晩保存し、分析評価のために送る。この洗浄試験を４回繰り返し、６４個の試験見本を得る。
【００８５】
評価：
官能評価：
したがって、残留する悪臭の強度について、試験脚あたり、４０個の悪臭センサー見本（洗浄あたり１０個の内部複製物×４個の外部複製洗浄物）を評価する。測定可能な属性の違いを見出すためのＡＳＴＭ（Ｅ１９５８）によって推奨される試験設計の１つは、記述式分析パネルとも呼ばれる、訓練された官能試験専門家によるパネルを用いることである。悪臭強度についてグレード分けし、典型的な０（悪臭が残っていない）から１００（強い悪臭が残っている）のスケールを用いる乾燥布地悪臭強度について、調製した布地をグレード分けする方法について訓練を受けた、９人の訓練された外部の（すなわち従業員ではない）官能試験専門パネリストによって、悪臭センサー見本を評価する。悪臭評価は、２回、すなわち悪臭センサー見本を擦る前及び擦った後に実施される。全てのサンプルを盲検の３桁コードで標識し、提示順序をランダム化した。
【００８６】
擦る前の評価：
試験見本を２つ折りし、半分に折りたたんだ見本の対向する端部を２本の手で引き延ばす。その結果、試験見本の左側及び右側を嗅ぎ、その後に、試験見本の上側端部をひっくり返し、左側及び右側を再び嗅ぐことによって、試験見本の反対側を評価する。その結果、０（悪臭が残っていない）から１００（強い悪臭が残っている）までのスケールで、残留する悪臭強度のグレードが得られる。４０個全ての試験見本を、まず、擦る前に評価し、その後に、擦った後の評価のために動かす。異なる試験見本評価の間には、２分間の休憩が与えられる。４０個の試験見本と９人のパネリストの擦る前の平均悪臭強度グレードを計算し、記録する。
【００８７】
擦った後の評価：
試験見本を２つ折りし、半分に折りたたんだ見本の対向する端部を２本の手で引き延ばす。
【００８８】
その結果、２本の手を一緒に合わせ、１．２〜２．４ｐｓｉの訓練され、較正された圧力で、圧を加えつつ上下に５回擦る。その結果、試験見本の擦った領域を嗅ぎ、０（悪臭が残っていない）から１００（強い悪臭が残っている）までのスケールで、残留する悪臭強度のグレードが再び得られる。４０個全ての試験見本を、擦った後に評価する。異なる試験見本評価の間には、２分間の休憩が与えられる。４０個の試験見本と９人のパネリストの擦った後の平均悪臭強度グレードを計算し、記録する。
【００８９】
分析評価：
洗濯洗浄試験後の試験見本上に残留する悪臭活性物質の分析評価は、試験布地の上のヘッドスペースの測定によって行われた。ここで、固相微量抽出（ＳＰＭＥ）プローブ（Ｓｕｐｅｌｃｏ製の部品番号５７２９８−Ｕのジビニルベンゼン／カルボキセン／ポリジメチルシロキサンＳＰＭＥ繊維）、ＤＢ−ＦＦＡＰカラムＡｇｉｌｅｎｔ部品番号１２２−３２３２（３０ｍ、０．２５ｍｍ、０．２５μｍ）、Ｍａｓｓ  Ｓｅｌｅｃｔｉｖｅ  Ｄｅｔｅｃｔｏｒ（５９７７Ｂ）、及びＣｈｅｍｓｔａｔｉｏｎ  ｑｕａｎｔｉｔａｔｉｏｎ  ｐａｃｋａｇｅを取り付けた、Ｇｅｒｓｔｅｌ  Ｍｕｌｔｉ−Ｐｕｒｐｏｓｅサンプラーを取り付けたＧａｓ  Ｃｈｒｏｍａｔｏｇｒａｐｈ  ７８９０Ｂを使用した。試験見本を２×２．５インチ片に切断し、１０ｍＬのヘッドスペースクリンプバイアルに入れ、１２時間かけて平衡化した後、分析測定を行った。試験結果を悪臭標準と比較して、残留する悪臭の量を定量した。１．１８ｍＬの悪臭標準を室温で１０ｍＬの不活性化ヘッドスペースバイアルにピペットで入れ、８０℃のオーブンで９０分間かけて平衡化し、分析前に一晩放置することによって、分析のための悪臭標準を調製した。
【００９０】
Ｇｅｒｓｔｅｌオートサンプラーパラメータ：
・ＳＰＭＥ：インキュベータから
・インキュベーション温度：８０℃
・インキュベーション時間：９０．００分試料パラメータ
・サンプルトレーの種類：ＶＴ３２−１０
・バイアル浸透量：２２．００ｍｍ
・抽出時間：２０．００分
・注入浸透量：５４．００ｍｍ
・脱離時間：３００秒
【００９１】
ＧＣオーブンパラメータ：
・フロントＳＳ入口Ｈｅ
・モードスプリット
・ヒータ  ２５０℃で
・圧力  １１．９６２ｐｓｉで
・全流速  ７９．５ｍＬ／分で
・セプタムパージ流  ３ｍＬ／分で
・スプリット比  ５０：１
・ＧＣランタイム  ２２．５分
・オーブン
・（初期）４０℃
・保持時間  ０分
・加熱プログラム
・速度  １２℃／分
・温度  ２５０℃
・保持時間  ５
【００９２】
ＭＳＤパラメータ：
・４０〜３５０ｍ／ｚの最小レンジでのスキャンモードで運転（より広いレンジを使用してもよい）。定量化のための標的イオンは、最小で１種類のクオリファイアイオン、好ましくは２種類のクオリファイアイオンと共に、各悪臭構成要素について決定する。各構成成分について規定された標的及びクオリファイアイオンは、ＭＳＤ化合物ライブラリ又は標準に基づいていなければならない。
・較正曲線は、各悪臭材料について、鉱物油中の標準物質から作成される。較正したヘッドスペース応答を利用して、試料中の各悪臭構成要素に対する抽出イオン（ＥＩＣ）の積分をプロットするか、又は記録する。
【００９３】
試験結果：
両方の官能パネルから、以下の表に示す分析データー（下側にあるものがより良い）から得られるように、単位用量液体洗濯洗剤配合物へのＴｅｘｃａｒｅ  ＳＲＡ３００技術の単一変数添加によって、布地に残留する悪臭が低減することが明らかである。
【００９４】
【表５】
2020002350.tif 000006
【００９５】
【表６】
2020002350.tif 000007
【図１】
2020002350.tif 000008
【外国語明細書】
2020002350.tif 000009
2020002350.tif 000010
2020002350.tif 000011
2020002350.tif 000012
2020002350.tif 000013
2020002350.tif 000014
2020002350.tif 000015
2020002350.tif 000016
2020002350.tif 000017
2020002350.tif 000018
2020002350.tif 000019
2020002350.tif 000020
2020002350.tif 000021
2020002350.tif 000022
2020002350.tif 000023
2020002350.tif 000024
2020002350.tif 000025
2020002350.tif 000026
2020002350.tif 000027
2020002350.tif 000028
2020002350.tif 000029
2020002350.tif 000030
2020002350.tif 000031
2020002350.tif 000032
2020002350.tif 000033